(57)【要約】【課題】コンテンツ再生装置において、他の装置に記憶されているコンテンツデータに基づくプログラム再生を簡便に行うことができるようにする。【解決手段】第１操作子と、第２操作子と、外部の装置との間で情報の授受を行うための通信手段と、通信手段を介して外部装置が接続されている間に、外部装置が再生用のデータを有するコンテンツの再生を、外部装置から供給される信号に基づいて行う再生手段とを備えたコンテンツ再生装置において、外部装置が接続されている間に、第１操作子の操作に応じ、外部装置が再生用のデータを有するコンテンツのうちの再生手段による再生中のもの又は任意に選択されたものを登録する登録手段（ステップ４０１〜４１３）と、外部装置が接続されている間に、第２操作子の操作に応じ、登録手段により登録されているコンテンツの再生を、再生手段により行う再生制御手段とを設ける。【選択図】図４
2011096294.tif 000002
【特許請求の範囲】
【請求項１】
第１操作子と、
第２操作子と、
外部の装置との間で情報の授受を行うための通信手段と、
前記通信手段を介して前記外部装置が接続されている間に、前記外部装置が再生用のデータを有するコンテンツの再生を、該外部装置から供給される信号に基づいて行う再生手段と、
前記通信手段を介して前記外部装置が接続されている間に、前記第１操作子の操作に応じ、該外部装置が再生用のデータを有するコンテンツのうちの前記再生手段による再生中のもの又は任意に選択されたものを登録する登録手段と、
前記通信手段を介して前記外部装置が接続されている間に、前記第２操作子の操作に応じ、前記登録手段により登録されているコンテンツの再生を、前記再生手段により行う再生制御手段とを具備することを特徴とするコンテンツ再生装置。
【請求項２】
前記通信手段を介して前記外部装置が接続されている間に、前記外部装置から、前記外部装置がデータを有するコンテンツの属性情報に関するデータベースを識別し、又は該外部装置を識別するための第１識別情報を取得する第１取得手段を備え、
前記登録手段は、前記登録を行うに際し、予め記憶している前記第１識別情報と、前記第１取得手段により取得される前記第１識別情報とが一致することを、登録を行うための条件とし、又は前記第１取得手段により取得される前記第１識別情報に対応付けてコンテンツの登録を行うものであり、
前記再生制御手段は、前記再生を行うに際し、予め記憶している前記第１識別情報と、前記第１取得手段により取得される前記第１識別情報とが一致することを、再生を行うための条件とし、又は前記第１取得手段により取得される前記第１識別情報に対応付けて前記登録手段により登録されているコンテンツの再生を行うものであることを特徴とする請求項１に記載のコンテンツ再生装置。
【請求項３】
前記再生中のコンテンツ又は選択されたコンテンツをユニークに識別する第２識別情報を前記外部装置から取得する第２取得手段を備え、
前記登録手段によるコンテンツの登録は、該コンテンツの前記第２識別情報を記録することにより行われることを特徴とする請求項１又は２に記載のコンテンツ再生装置。
【請求項４】
選択用操作子を備え、
前記再生制御手段は、前記コンテンツの再生を行うに際し、前記登録手段により登録されている各コンテンツのタイトルを表示し、そのうちの前記選択用操作子により選択されたタイトルのコンテンツについて再生を行うものであり、
各コンテンツのタイトルは、前記登録手段により、各コンテンツの登録に際し、各コンテンツの前記第２識別情報に基づいて、接続中の前記外部装置から取得され、各コンテンツの前記第２識別情報に対応付けて記録され、又は前記再生制御手段により、各コンテンツの再生に際し、各コンテンツの前記第２識別情報に基づいて取得されるものであることを特徴とする請求項３に記載のコンテンツ再生装置。
【請求項５】
前記再生制御手段は、前記選択されたタイトルの１つに対応するコンテンツが、接続中の前記外部装置において複数存在する場合には、該複数のコンテンツのうち、前記登録手段により記録されている前記第２識別情報のうちの該１つのタイトルに対応する前記第２識別情報に対応するコンテンツを再生するものであることを特徴とする請求項４に記載のコンテンツ再生装置。
【請求項６】
請求項１〜５のいずれかのコンテンツ再生装置における登録手段及び再生制御手段としてコンピュータを機能させることを特徴とするプログラム。
【請求項７】
第１操作子と、
第２操作子と、
外部の装置との間で情報の授受を行うための通信手段と、
前記通信手段を介して前記外部装置が接続されている間に、前記外部装置が再生用のデータを有するコンテンツの再生を、該外部装置から供給される信号に基づいて行う再生手段とを備えたコンテンツ再生装置におけるコンテンツ再生方法であって、
前記通信手段を介して前記外部装置が接続されている間に、前記第１操作子の操作に応じ、該外部装置が再生用のデータを有するコンテンツのうちの前記再生手段による再生中のもの又は任意に選択されたものを登録する登録手順と、
前記通信手段を介して前記外部装置が接続されている間に、前記第２操作子の操作に応じ、前記登録手順により登録されたコンテンツの再生を、前記再生手段により行う再生制御手順とを具備することを特徴とするコンテンツ再生方法。
【発明の詳細な説明】
【技術分野】
【０００１】
本発明は、外部の装置に記憶されているコンテンツデータに基づいてコンテンツの再生を行うコンテンツ再生装置、コンピュータを該装置として機能させるプログラム、及び該装置に適したコンテンツ再生方法に関する。
【背景技術】
【０００２】
従来、パソコンのアプリケーションプログラムにより楽曲の情報をデータベースに登録しておき、そのデータベースに基づいて楽曲の検索や再生を行うことができる携帯音楽再生装置が知られている。データベースに登録される楽曲情報としては、各楽曲を演奏しているアーティスト、各楽曲が含まれるアルバム、各楽曲が属するジャンル、各楽曲の名称であるソング、各楽曲のコンポーザ等の情報の他、アプリケーションプログラムによりユーザが任意に作成するプレイリストなどの付加情報が該当する。
【０００３】
また、車載音楽再生装置から、接続された携帯音楽再生装置との通信により、携帯音楽再生装置に記憶されている楽曲を再生しながら、携帯音楽再生装置内のデータベースを利用して楽曲の検索範囲を絞り込み、ユーザが簡単に目的の楽曲を検索することができる機能が知られている。たとえば、ユーザは、携帯音楽再生装置の楽曲を車載音楽再生装置により再生しているときに、車載音楽再生装置の所定の操作キーを押下することによって、その楽曲のアーティストに対応付けて携帯音楽再生装置において登録されているアルバム名の一覧を、車載音楽再生装置の表示管上で図７のように表示させ、所望のアルバムを選択することによって楽曲を選択することができる。
【０００４】
図８はこのような車載音楽再生装置における処理の一例を示す。車載音楽再生装置は、ステップ８０１において、楽曲再生中に所定のキーが押下されると、ステップ８０２において絞込み情報をクリアし、ステップ８０３において、再生中の楽曲のアーティスト名を絞込み情報に設定し、絞込み処理を実行する。これにより、そのアーティストのアルバム名が検索されることになる。
【０００５】
次に、ステップ８０４において、絞り込まれたアルバム名が０件であるかどうかを判定する。０件であると判定した場合にはそのまま図８の処理を終了する。０件ではないと判定した場合にはステップ８０５〜８０７において、絞り込まれた件数分のアルバム名の表示用データを作成する。そして、ステップ８０８において、アルバム名の表示を行う。
【０００６】
次に、ステップ８０９において、表示したアルバム名のうちからユーザが所望のものを選択するのを待機する。選択がなされると、ステップ８１０において、選択されたアルバムに含まれる楽曲タイトルの一覧を表示する。そして、ステップ８１１において、ユーザが該一覧から楽曲タイトルを選択するのを待機する。選択がなされると、ステップ８１２において、選択された楽曲タイトルの楽曲の再生を開始し、図８の処理を終了する。
【０００７】
なお、これに関連する技術として、接続された携帯型コンテンツ再生装置を制御し、携帯型コンテンツ再生装置からコンテンツを読み込んで再生するための制御プログラムを、ネットワークを介して更新するようにした車載用コンテンツ再生装置が知られている（たとえば、特許文献１参照）。また、携帯型メディア機器との接続中に携帯型メディア機器に格納されている全ファイルのリストを作成して記憶し、該ファイルから再生対象を選択する際の便宜に供するようにしたオーディオ／ビデオ再生装が知られている（たとえば、特許文献２参照）。
【先行技術文献】
【特許文献】
【０００８】
【特許文献１】特開２００８−３８２６号公報
【特許文献２】特開２００８−４１２２５号公報
【発明の概要】
【発明が解決しようとする課題】
【０００９】
しかしながら、従来の車載音楽再生装置によれば、携帯音楽再生装置のデータベース情報を用いることによって車載音楽再生装置上でもユーザの目的とする楽曲の検索は容易になったが、ユーザが、携帯音楽再生装置に記憶されている楽曲を対象として、任意に複数の楽曲を選択し、これらの楽曲を１つのプレイリストに基づいて車載音楽再生装置においてプログラム再生を行おうとする場合には、パソコンのアプリケーションプログラムによりプレイリストを作成してデータベースに登録しておくか、又は楽曲データそのものを車載音楽再生装置のメモリ上に保存してプレイリストを作成し、そのメモリから楽曲データを読み出して再生を行う必要がある。
【００１０】
本発明の目的は、このような従来技術の問題点に鑑み、コンテンツ再生装置において、他の装置に記憶されているコンテンツデータに基づくプログラム再生を簡便に行うことができるようにすることにある。
【課題を解決するための手段】
【００１１】
この目的を達成するため、第１の発明に係るコンテンツ再生装置は、第１操作子と、第２操作子と、外部の装置との間で情報の授受を行うための通信手段と、前記通信手段を介して前記外部装置が接続されている間に、前記外部装置が再生用のデータを有するコンテンツの再生を、該外部装置から供給される信号に基づいて行う再生手段と、前記通信手段を介して前記外部装置が接続されている間に、前記第１操作子の操作に応じ、該外部装置が再生用のデータを有するコンテンツのうちの前記再生手段による再生中のもの又は任意に選択されたものを登録する登録手段と、前記通信手段を介して前記外部装置が接続されている間に、前記第２操作子の操作に応じ、前記登録手段により登録されているコンテンツの再生を、前記再生手段により行う再生制御手段とを具備することを特徴とする。
【００１２】
第２の発明に係るコンテンツ再生装置は、第１発明において、前記通信手段を介して前記外部装置が接続されている間に、前記外部装置から、前記外部装置がデータを有するコンテンツの属性情報に関するデータベースを識別し、又は該外部装置を識別するための第１識別情報を取得する第１取得手段を備え、前記登録手段は、前記登録を行うに際し、予め記憶している前記第１識別情報と、前記第１取得手段により取得される前記第１識別情報とが一致することを、登録を行うための条件とし、又は前記第１取得手段により取得される前記第１識別情報に対応付けてコンテンツの登録を行うものであり、前記再生制御手段は、前記再生を行うに際し、予め記憶している前記第１識別情報と、前記第１取得手段により取得される前記第１識別情報とが一致することを、再生を行うための条件とし、又は前記第１取得手段により取得される前記第１識別情報に対応付けて前記登録手段により登録されているコンテンツの再生を行うものであることを特徴とする。
【００１３】
第３の発明に係るコンテンツ再生装置は、第１又は第２発明において、前記再生中のコンテンツ又は選択されたコンテンツをユニークに識別する第２識別情報を前記外部装置から取得する第２取得手段を備え、前記登録手段によるコンテンツの登録は、該コンテンツの前記第２識別情報を記録することにより行われることを特徴とする。
【００１４】
第４の発明に係るコンテンツ再生装置は、第３発明において、選択用操作子を備え、前記再生制御手段は、前記コンテンツの再生を行うに際し、前記登録手段により登録されている各コンテンツのタイトルを表示し、そのうちの前記選択用操作子により選択されたタイトルのコンテンツについて再生を行うものであり、各コンテンツのタイトルは、前記登録手段により、各コンテンツの登録に際し、各コンテンツの前記第２識別情報に基づいて、接続中の前記外部装置から取得され、各コンテンツの前記第２識別情報に対応付けて記録され、又は前記再生制御手段により、各コンテンツの再生に際し、各コンテンツの前記第２識別情報に基づいて取得されるものであることを特徴とする。
【００１５】
第５の発明に係るコンテンツ再生装置は、第４発明において、前記再生制御手段は、前記選択されたタイトルの１つに対応するコンテンツが、接続中の前記外部装置において複数存在する場合には、該複数のコンテンツのうち、前記登録手段により記録されている前記第２識別情報のうちの該１つのタイトルに対応する前記第２識別情報に対応するコンテンツを再生するものであることを特徴とする。
【００１６】
第６の発明に係るプログラムは、第１〜第５のいずれかのコンテンツ再生装置における登録手段及び再生制御手段としてコンピュータを機能させることを特徴とする。
【００１７】
第７の発明に係るコンテンツ再生方法は、第１操作子と、第２操作子と、外部の装置との間で情報の授受を行うための通信手段と、前記通信手段を介して前記外部装置が接続されている間に、前記外部装置が再生用のデータを有するコンテンツの再生を、該外部装置から供給される信号に基づいて行う再生手段とを備えたコンテンツ再生装置におけるコンテンツ再生方法であって、前記通信手段を介して前記外部装置が接続されている間に、前記第１操作子の操作に応じ、該外部装置が再生用のデータを有するコンテンツのうちの前記再生手段による再生中のもの又は任意に選択されたものを登録する登録手順と、前記通信手段を介して前記外部装置が接続されている間に、前記第２操作子の操作に応じ、前記登録手順により登録されたコンテンツの再生を、前記再生手段により行う再生制御手順とを具備することを特徴とする。
【発明の効果】
【００１８】
本発明によれば、他の装置に記憶されているコンテンツデータに基づくプログラム再生を簡便に行うことができる。
【図面の簡単な説明】
【００１９】
【図１】図１は本発明の一実施形態に係る車載音楽再生装置の構成を示すブロック図である。
【図２】図１の装置の記憶部において記憶されるプログラム再生用のプレイリストを示す図である。
【図３】図１の装置の処理部による楽曲登録処理を示すフローチャートである。
【図４】図１の装置の処理部による登録楽曲再生処理を示すフローチャートである。
【図５】図１の装置の処理部による楽曲登録処理の別の例を示すフローチャートである。
【図６】図１の装置の処理部による登録楽曲再生処理の別の例を示すフローチャートである。
【図７】従来の車載音楽再生装置の表示管に表示されるアルバム名の一覧を示す図である。
【図８】従来の車載音楽再生装置における処理の一例を示すフローチャートである。
【発明を実施するための形態】
【００２０】
図１は本発明の一実施形態に係る車載音楽再生装置の構成を示すブロック図である。同図に示すようにこの装置は、必要な情報処理を行う処理部１、処理部１に対してユーザが指示や入力を行うための操作部２、処理部１がユーザに対して必要な情報の提示を行うための表示部３、処理部１が処理する楽曲データを記憶する記憶部４、楽曲データに基づいて処理部１が再生する音声信号に基づいて音声を出力する音声出力部５、及び処理部１が所定の携帯音楽再生装置との間で情報の授受を行うための通信部６を備える。
【００２１】
通信部６はたとえば、ＵＳＢコントローラを備え、ＵＳＢ通信プロトコルに従った通信を行うことができるように構成される。携帯音楽再生装置も図１の構成と同様の構成を備える。操作部２は後述する楽曲の登録を指示するための登録キー、登録された楽曲の再生を指示するための登録曲再生キー、表示部３上に表示された各選択項目上でカーソルを移動させるためのカーソルキー、カーソルが位置する選択項目の選択を決定する選択キー等を備える。
【００２２】
ただし、携帯音楽再生装置は、車載音楽再生装置からのトラック番号の指定を伴う要求に応じ、そのトラック番号の楽曲についてのユニーク・トラック・アイデンティファイア（Ｕｎｉｑｕｅ  Ｔｒａｃｋ  Ｉｄｅｎｔｉｆｉｅｒ）と呼ばれる固有の識別情報（以下「ＵＴＩＤナンバ」という。）を車載音楽再生装置に通知する機能を備える。ここで指定されるトラック番号は、携帯音楽再生装置において各楽曲に付与されているトラック番号である。携帯音楽再生装置はまた、車載音楽再生装置からのＵＴＩＤナンバの指定を伴う要求に応じて該ＵＴＩＤナンバに対応する楽曲のタイトルを通知する機能、及び車載音楽再生装置からの要求に応じ、携帯音楽再生装置が記憶している各楽曲データの属性情報を管理している楽曲データベースについてのデータ・ベース・ユニーク・アイデンティファイア（Ｄａｔａｂａｓｅ  Ｕｎｉｑｕｅ  Ｉｄｅｎｔｉｆｉｅｒ）と呼ばれる固有の識別情報（以下、「ＤＵＩＤナンバ」という。）を通知する機能を備える。
【００２３】
携帯音楽再生装置はまた、自身が有する楽曲データベースに基づいて楽曲のカテゴリ検索を行う機能を、車載用音楽再生装置に対しても提供することができる。カテゴリとしてはたとえば、アーティストや、アルバム、ジャンル、ソング、コンポーザが該当する。カテゴリは階層構造になっており、たとえばアーティストの下位のカテゴリとしてはアルバムやソングが該当する。たとえば、検索カテゴリとして最も下位であるソングが車載用音楽再生装置において指定された場合には、楽曲データベース中の楽曲データの楽曲タイトルをすべて列挙して車載用音楽再生装置において表示させ、所望の楽曲の選択を受け入れることができる。その際、楽曲タイトルをある程度絞り込むための手法として、アルファベット検索を用いることも可能である。すなわち、車載用音楽再生装置において楽曲タイトルの頭文字の指定を受け入れた場合、該当する楽曲タイトルのみを車載用音楽再生装置において表示させ、選択を受け入れることができる。携帯音楽再生装置は、このような検索を通じて選択された楽曲のデータに基づく再生信号を、通信部６を介して車載用音楽再生装置に供給することができる。処理部１は供給される再生信号に基づいて、音声出力部５を介し、楽曲の再生音を出力することができる。
【００２４】
このような携帯音楽再生装置の機能を利用することによって、処理部１はたとえば、携帯音楽再生装置に対し、「ソング」による絞込み設定を要求することにより、携帯音楽再生装置が記憶している全楽曲データの楽曲タイトルを取得し、その中からユーザにより指定されたタイトルを検索し、得られたタイトルのトラック番号を取得することができる。処理部１は、得られたトラック番号を指定して携帯音楽再生装置に要求することにより、対応する楽曲を再生させることができる。この再生信号に基づき、制御部１は、再生音を出力することができる。
【００２５】
図２は記憶部４において記憶されるプログラム再生用のプレイリストを示す。同図に示すように、プレイリストには、そのプレイリストに対応する携帯音楽再生装置の楽曲データベースのＤＵＩＤナンバ２１、及びプログラム再生の対象としてプレイリストに登録された各楽曲の情報２２が記録される。各楽曲情報２２はその楽曲のＵＴＩＤナンバ２３及びタイトル２４、並びに登録順に付与されたトラック番号２５を含む。処理部１は、所定のプログラムに従い、図２のプレイリストに楽曲の登録を行う楽曲登録処理、及びプレイリストに基づいて楽曲の再生を行う登録楽曲再生処理を実行する。
【００２６】
図３は処理部１による楽曲登録処理を示すフローチャートである。この楽曲登録処理は通信部６を介して接続されている携帯音楽再生装置に記憶されている楽曲データに基づいて処理部１が楽曲を再生しているとき、又は上述の楽曲の検索によって該携帯音楽再生装置に記憶されている各楽曲データの楽曲のうちから任意の楽曲が選択されたときに、操作部２における登録キーが押下されたことに応答して開始される。なお、楽曲登録処理において用いられるプレイリストには、プレイリストへの楽曲登録の対象とする携帯音楽再生装置における管理データベースのＤＵＩＤナンバが記録されている。
【００２７】
登録キーの押下に応じて楽曲情報登録処理を開始すると（ステップ３０１）、処理部１は、まず、ステップ３０２において、携帯音楽再生装置に対してＤＵＩＤナンバを通知するように要求し、ステップ３０３において、ＤＵＩＤナンバの通知を待機する。ＤＵＩＤナンバの通知を受けると、ステップ３０４において、通知されたＤＵＩＤナンバが、プレイリストにおいて予め記録されているＤＵＩＤナンバと一致するかどうかを判定する。一致すると判定した場合にはステップ３０５において、携帯音楽再生装置に対し、該再生中の楽曲又は検索された楽曲のトラック番号を指定してＵＴＩＤナンバを通知するように要求し、ステップ３０６においてＵＴＩＤナンバの通知を待機する。
【００２８】
ＵＴＩＤナンバの通知を受けると、ステップ３０７において、通知されたＵＴＩＤナンバを、登録順を示すトラック番号とともにプレイリストに記録することにより、該再生中の楽曲又は検索された楽曲の登録を行う。次に、ステップ３０８において、携帯音楽再生装置に対し、通知されたＵＴＩＤナンバを指定して、該再生中の楽曲又は検索された楽曲のタイトルを通知するように要求し、ステップ３０９において、タイトルの通知を待機する。タイトルの通知を受けると、ステップ３１０において、取得したタイトルを、ステップ３０７においてプレイリストに記録したＵＴＩＤナンバのレコードに付加する。これにより楽曲情報登録処理が終了し、図２のプレイリストにおける１件分の楽曲登録が完了する。
【００２９】
一方、ステップ３０４において、通知されたＤＵＩＤナンバが、プレイリストにおいて予め記録されているＤＵＩＤナンバに一致しないと判定した場合には、ステップ３１１において、異なる携帯音楽再生装置が接続されている旨の表示を行い、直ちに楽曲登録処理を終了する。
【００３０】
図４は処理部１による登録楽曲再生処理を示すフローチャートである。この登録楽曲再生処理は、通信部６を介して携帯音楽再生装置が接続されている状態において操作部２における登録曲再生キーが押下されたことに応答して開始される（ステップ４０１）。登録楽曲再生処理を開始すると、処理部１は、まず、ステップ４０２において、携帯音楽再生装置に対し、ＤＵＩＤナンバを通知するように要求し、ステップ４０３においてＤＵＩＤナンバの通知を待機する。
【００３１】
ＤＵＩＤナンバの通知を受けると、ステップ４０４において、通知されたＤＵＩＤナンバが、プレイリストに記録されているＤＵＩＤナンバに一致するか否かを判定する。一致すると判定した場合には、ステップ４０５において、プレイリストに登録されている楽曲のタイトルを表示部３において一覧表示し、ステップ４０６において、表示したタイトルのうちのいずれかが選択されるのを待機する。ユーザは操作部２のカーソルキー及び選択キーを用いて、表示されているタイトルのうちから所望の楽曲のタイトルを選択することができる。
【００３２】
タイトルの選択が行われると、ステップ４０７において、携帯音楽再生装置に対し、「ソング」のカテゴリによる絞込み設定要求を行う。これにより、ユーザにより選択されたタイトルを、携帯音楽再生装置における各楽曲についてのアルファベット順にソートされトラック番号が付されたタイトル群のうちから、二分検索により検索することができるようになる。その検索に際しては、検索を高速に行うことができるように、ユーザにより選択されたタイトルのイニシアルと同一のイニシアルを有するタイトル群に検索対象を絞り込むアルファベット検索を併用することもできる。
【００３３】
次に、タイトル群からの検索を、ステップ４０８〜４１１において行う。すなわち、タイトル群から二分検索における中央の要素としてのタイトルを取得し（ステップ４０８、４０９）、検索対象であるユーザが選択したプレイリストのタイトルと比較し（ステップ４１０）、比較結果に応じて次の中央要素を決定する（ステップ４１１）という処理を、中央要素と検索対象とが一致するまで繰り返す。検索が完了すると、ステップ４１２において、検索されたタイトルのトラック番号を指定して、携帯音楽再生装置に対し、楽曲の再生を要求する。これにより、図４の登録楽曲再生処理が終了する。
【００３４】
この処理部１からの再生要求に応じ、携帯音楽再生装置は、指定されたトラック番号の楽曲の楽曲データを再生し、再生信号を車載音楽再生装置に供給する処理を開始することになる。供給される再生信号に基づき、処理部１は、音声出力部５からの再生音の出力を開始することができる。
【００３５】
一方、ステップ４０４において、通知されたＤＵＩＤナンバが、記憶しているプレイリストのＤＵＩＤナンバに一致しないと判定した場合には、ステップ４１３において、異なる携帯音楽再生装置が接続されている旨の表示を行い、直ちに図３の登録楽曲再生処理を終了する。
【００３６】
本実施形態によれば、携帯音楽再生装置が接続されている間に、登録キーの操作に応じて、携帯音楽再生装置が楽曲データを有する楽曲のうちの再生中のもの又は任意に選択されたものをプレイリストに登録しておくとともに、携帯音楽再生装置が接続されている間に、登録曲再生キーの操作に応じ、プレイリストに登録されている楽曲の再生を行うようにしたため、携帯音楽再生装置においてデータベースにより管理されている携帯音楽再生装置の楽曲を、パソコンのアプリケーションを使用する必要なく、車載音楽再生装置においてプレイリスト化し、プログラム再生することができる。
【００３７】
また、従来の車載音楽再生装置の場合と異なり、楽曲データをプレイリスト作成のために車載音楽再生装置において保存する必要がないので、車載音楽再生装置における記憶容量の節約を図ることができる。また、プレイリストへの登録を行っておくことにより、ユーザは携帯音楽再生装置の楽曲群からの絞込みを用いた検索を行う必要なく、所望の楽曲を容易に選択して再生することができる。
【００３８】
また、プレイリストへの登録を行うに際し、予めプレイリストに記録されているＤＵＩＤナンバと、携帯音楽再生装置から取得されるＤＵＩＤナンバとが一致することを、登録を行うための条件とし、一方、プレイリストに基づく再生を行うに際し、予めプレイリストに記録されているＤＵＩＤナンバと、携帯音楽再生装置から取得されるＤＵＩＤナンバとが一致することを、再生を行うための条件とするようにしたため、プレイリスト及びそれに基づく登録及び再生の対象とする携帯音楽再生装置を確実に識別し、容易に管理することができる。
【００３９】
また、プレイリストへの楽曲の登録は、該楽曲のＵＴＩＤナンバを記録することにより行うようにしたため、再生しようとする楽曲のタイトルの１つに対応する楽曲データが複数存在する場合でも、該複数の楽曲のうち、プレイリストに記録されている該１つのタイトルに対応するＵＴＩＤナンバに対応するものを再生することにより、確実に、ユーザが意図する楽曲の再生を行うことができる。
【００４０】
また、プレイリストに基づいて楽曲の再生を行うに際し、プレイリストに登録されている各楽曲のタイトルを表示し、そのうちの選択されたタイトルの楽曲について再生を行うようにしたため、ユーザは、プレイリストに登録されている楽曲のうちの所望のものを容易に選択して再生することができる。
【００４１】
図３の楽曲登録処理ではＵＴＩＤナンバによりタイトルを取得してプレイリストに記録し、図４の登録楽曲再生処理において再生を行うときに、記録しておいたタイトルを表示するようにしているが、この代わりに、再生を行うときにＵＴＩＤナンバを使用してタイトルを取得し、表示するようにしてもよい。
【００４２】
図５及び図６はこれを実現する楽曲登録処理及び登録楽曲再生処理の別の例を示すフローチャートである。図５の楽曲登録処理におけるステップ５０１〜５０８は図３の楽曲登録処理におけるステップ３０１〜３０７及び３１１と同じである。すなわち、図５の楽曲登録処理は図３の楽曲登録処理からステップ３０８〜３１０を除いたものとなっている。また、図６の登録楽曲再生処理におけるステップ６０１〜６０４及び６０７〜６１５の処理は図４の登録楽曲再生処理におけるステップ４０１〜４１３の処理と同じである。すなわち、図６の登録楽曲再生処理は、図４の登録楽曲再生処理に対してステップ６０５及び６０６を追加したものとなっている。
【００４３】
したがって、図３及び図４の楽曲登録処理及び登録楽曲再生処理においては、図３のステップ３０８〜３１０において、登録する楽曲のタイトルを取得し、図４のステップ４０５において、登録した楽曲のタイトルを表示することにより、ステップ４０６における楽曲の選択に供するようにしているのに対し、図５及び図６の楽曲登録処理及び登録楽曲再生処理においては、図５の処理においては登録楽曲のタイトルは記録されず、ＵＴＩＤのみが記録され、図６のステップ６０５及び６０６において、登録楽曲のＵＴＩＤに対応するタイトルが携帯楽曲再生装置から取得され、ステップ６０７におけるタイトル一覧の表示に供される。他の点については、図５及び図６の処理は、図３及び図４の処理の場合と同様である。
【００４４】
なお、本発明は上述実施形態に限定されることなく、適宜変形して実施することができる。たとえば、上述においては楽曲コンテンツを対象として登録及び再生を行う例について説明したが、これに限らず他の種類のコンテンツ、たとえばプロモーションビデオや漫才などのコンテンツを対象として登録及び再生を行うようにしてもよい。
【００４５】
また、上述においては、楽曲登録処理によって登録した楽曲と、接続されている携帯音楽再生装置との適合性の確認を、楽曲を管理するデータベースを識別するＤＵＩＤナンバにより行うようにしているが、該データベースが携帯音楽再生装置に１つのみ設けられるものである場合や、該データベースが設けられておらず、楽曲データに付随する情報により検索等を行うようにしている場合には、ＤＵＩＤナンバの代わりに、携帯音楽再生装置を識別する情報を用いるようにしてもよい。
【００４６】
また、上述においては言及しなかったが、接続される携帯音楽再生装置が複数存在し得る場合には、携帯音楽再生装置毎に複数のプレイリストを設け、ＤＵＩＤナンバを記録しておき、ＤＵＩＤナンバ毎にプレイリストへの登録、及び該プレイリストに基づく再生を行うことができるようにしてもよい。
【００４７】
また、上述においては、プレイリストに予め記録されているＤＵＩＤナンバと、接続された携帯音楽再生装置から取得したＤＵＩＤナンバとが一致した場合に楽曲の登録を許容するようにしているが、予め記録されているＤＵＩＤナンバが存在しない場合には、取得したＤＵＩＤナンバを新規のプレイリストに記録し、そのプレイリストに楽曲の登録を行うようにしてもよい。
【００４８】
また、上述の楽曲登録処理においては、再生中の楽曲又は検索により選択された楽曲を登録するようにしているが、この代わりに、再生中のアルバムやアーティスト又は検索により選択されたアルバムやアーティストの楽曲を登録するようにしてもよい。
【００４９】
また、上述においては言及しなかったが、登録楽曲再生処理おいてユーザが選択する楽曲は複数の楽曲であってもよく、その場合ステップ６１０〜６１４の処理は、楽曲毎に、選択された楽曲の数だけ行われる。
【００５０】
また、上述においては、外部の装置として携帯音楽再生装置を接続する場合について述べたが、本発明は、携帯音楽再生装置に限らず、ＵＳＢメモリやハードディスクを接続する場合についても、適用することができる。その場合においても、これらの装置における各コンテンツの管理データベースや、これらの装置に記憶されている各コンテンツをユニークに識別することができる識別情報を取得し、管理データベースや各コンテンツを識別できることが望ましい。
【符号の説明】
【００５１】
１：処理部、２：操作部、３：表示部、４：記憶部、５：音声出力部、６：通信部、２１：ＤＵＩＤナンバ、２２：楽曲情報、２３：ＵＴＩＤナンバ、２４：タイトル、２５：トラック番号。
【図１】
2011096294.tif 000003
【図２】
2011096294.tif 000004
【図７】
2011096294.tif 000005
【図３】
2011096294.tif 000006
【図４】
2011096294.tif 000007
【図５】
2011096294.tif 000008
【図６】
2011096294.tif 000009
【図８】
2011096294.tif 000010